(57)【要約】  【課題】消火用ヘッドから放出されるミストや窒素ガス等の消火薬剤が、局所に到達できるようにする。  【解決手段】ミストを放出する消火用ヘッド１であって；気体放出用ノズル３と、該気体放出用ノズル内に、同心状に配設されたミスト放出用ノズル５と、前記気体放出用ノズルの内面に設けられ、搬送気体を旋回せしめるフィン７と、を備えている。  【選択図】  図１
2007175278.tif 000002
【特許請求の範囲】
【請求項１】
消火薬剤を放出する消火用ヘッドであって；
直筒状の消火薬剤放出用ノズルと、
該消火薬剤放出用ノズルの内面に設けられ、前記消火薬剤を旋回せしめるフィンと、
を備えていることを特徴とする消火用ヘッド
【請求項２】
ミストを放出する消火用ヘッドであって；
吸込み口を有する円筒型ダクトと、
該ダクトの排出部に設けられ、前記吸込み口から吸引されるミストを旋回せしめるファンと、
該ファンを覆い、渦巻状の風を作り出すグリルカバーと、
を備えていることを特徴とする消火用ヘッド。
【請求項３】
ミストを放出する消火用ヘッドであって；
気体放出用ノズルと、
該気体放出用ノズル内に、同心状に配設されたミスト放出用ノズルと、
前記気体放出用ノズルの内面に設けられ、搬送気体を旋回せしめるフィンと、
を備えていることを特徴とする消火用ヘッド
【請求項４】
ミスト放出ノズルの先端が、気体放出用ノズルの先端から引っ込んでいることを特徴とする請求項３記載の消火用ヘッド。
【請求項５】
気体放出用ノズルに、空気、又は、窒素ガスが供給されることを特徴とする請求項３、又は、４記載の消火用ヘッド。
【発明の詳細な説明】
【技術分野】
【０００１】
この発明は、消火薬剤を旋回させながら放射したり、又は、消火薬剤を旋回気流で包囲しながら放射したりする、消火用ヘッドに関するものである。
【背景技術】
【０００２】
ミスト消火方法では、超高圧な消火水を消火用ヘッドに圧送して噴霧し、ミストで火源およびその近傍を覆うことにより消火を行っている。このミスト消火方法では、冷却、遮熱、希釈被覆、窒息等の消火効果により消火が行われることが知られている。
【０００３】
ミストにより効果的に消火を行うためには、水の流量とともに、反応場、即ち、ミストが反応作用を起こす場所、と、ミストの可燃性物質表面への貫通能力が非常に重要である。特に、深部火災に対応するためには、可燃性物質表面から可燃性物質内部に水が浸透することが重要である。
【０００４】
ところが、前記ミスト消火方法では、ミスト粒子が小さく、例えば、３０〜３００μm
なので、貫通能力が弱い。そこで、従来例では、火災空間を区画して仕切り、その区画内に多めにミストを充満させることにより貫通能力を補完している（例えば、特許文献１、参照）。
【０００５】
【特許文献１】特開２０００−１４０１４４号公報
【発明の開示】
【発明が解決しようとする課題】
【０００６】
従来例では、消火用ヘッドから噴霧されたミストは、四方八方に放出され、空気中を漂うことになるが、貫通能力が弱いため、全てのミスト粒子が燃焼部分の表面やその近傍（以下、「局部」という）に到達するわけではない。従って、局部以外の部分にも多量のミストが供給される（全域放出）ので、多量の消火水が必要となる。そのため、消火水タンクを搭載した移動式の消火設備では、十分な消火水を得られないので、確実に消火することができなくなる。又、消火用ヘッドから窒素ガス等の不活性ガスを放出させて消火する場合にも、前記ミスト放出用ヘッドと同様な問題が起こる。
【０００７】
この発明は、上記事情に鑑み、消火用ヘッドから放出されるミストや窒素ガス等の消火薬剤が、局所に到達できるようにすることを目的とする。
【課題を解決するための手段】
【０００８】
この発明は、消火薬剤を放出する消火用ヘッドであって；直筒状の消火薬剤放出用ノズルと、該消火薬剤放出用ノズルの内面に設けられ、前記消火薬剤を旋回せしめるフィンと、を備えていることを特徴とする。
【０００９】
この発明は、ミストを放出する消火用ヘッドであって；吸込み口を有する円筒型ダクトと、該ダクトの排出部に設けられ、前記吸込み口から吸引されるミストを旋回せしめるファンと、該ファンを覆い、渦巻状の風を作り出すグリルカバーと、を備えていることを特徴とする。
【００１０】
この発明は、ミストを放出する消火用ヘッドであって；気体放出用ノズルと、該気体放出用ノズル内に、同心状に配設されたミスト放出用ノズルと、前記気体放出用ノズルの内面に設けられ、搬送気体を旋回せしめるフィンと、を備えていることを特徴とする。
【００１１】
この発明のミスト放出ノズルの先端は、気体放出用ノズルの先端から引っ込んでいることを特徴とする。この発明の気体放出用ノズルに、空気、又は、窒素ガスが供給されることを特徴とする。
【発明の効果】
【００１２】
この発明は、消火薬剤放出用ノズルの内面に設けられ、前記消火薬剤を旋回せしめるフィンを備えているので、該消火薬剤は旋回流となって前方に進行する。そのため、該消火薬剤は、進行方向と直角方向に広がるのを規制されるので、前記消火薬剤を局所まで到達させることができる。従って、所謂局所放出が可能となる。
【００１３】
この発明は、吸込み口を有する円筒型ダクトと、該ダクトの排出部に設けられ、前記吸込み口から吸引されるミストを旋回せしめるファンと、該ファンを覆い、渦巻状の風を作り出すグリルカバーと、を備えているので、吸込み口から円筒型ダクト内に吸引されるミストは、旋回気流となりながら前方に進行する。そのため、該ミストは、外側、即ち、進行方向と直角方向に広がるのを規制されるので、前記消火薬剤を局所まで到達させることができる。そのため、該ミストの貫通能力は、従来例に比べ、大幅に向上するので、少量の消火液で効果的に消火を行うことができる。
【００１４】
この発明は、気体放出用ノズル内に、同心状に配設されたミスト放出用ノズルと、前記気体放出用ノズルの内面に設けられ、搬送気体を旋回せしめるフィンと、を備えているので、ミスト放出用ノズルから放出され、束状になっているミスト塊は、その外周を旋回気流に包囲されながら前進する。そのため、該ミスト塊が外側、即ち、進行方向と直角方向に広がるのを規制されるので、前記ミスト塊を局所まで到達させることができる。そのため、該ミストの貫通能力は、従来例に比べ、大幅に向上するので、少量の消火液で効果的に消火を行うことができる。
【発明を実施するための最良の形態】
【００１５】
ミスト放出用の消火ヘッドからミストを放出させると、該ミストは束状のミスト塊となって前方に進行するが、このミスト塊の幅（ミスト塊の外径）を広げないようにしながら進行させることができれば、局所放出、即ち、火源及びその近傍に放出すること、が可能となる。そこで、本発明者は、研究の結果、下記の（１）、（２）、（３）の様に旋回気流を利用すればよいことを知った。
【００１６】
（１）直筒状の消火薬剤放出用ノズルと、該消火薬剤放出用ノズルの内面に設けられ、前記消火薬剤を旋回せしめるフィンと、を備えること。
（２）吸込み口を有する円筒型ダクトと、該ダクト内に設けられ、前記吸込み口から吸引されるミストを旋回せしめるファンと、を備えること。
【００１７】
（３）気体放出用ノズルと、該気体放出用ノズル内に、同心状に配設されたミスト放出用ノズルと、前記気体放出用ノズルの内面に設けられ、搬送気体を旋回せしめるフィンと、を備えること。
本件発明は、上記知見に基づいて完成したものである。
【実施例】
【００１８】
この発明の第１実施例を図１、図２により説明する。
消火用ヘッド１は、直筒状の気体放出用ノズル３と、該ノズル３内に設けられたミスト放出用ノズル５と、を備えている。
【００１９】
前記ノズル３は、ノズル部３Ａと、該ノズル部の基端部に連続するブロワ部３Ｂとを備えている。このノズル部３Ａの内面には、フイン７が設けられている。このフイン７は、旋回気流形成手段であり、ノズル部３Ａの先端３ａから基端３ｂにわたって螺旋状に配設されている。このフイン７の配設長さＡ、突出高さ、ピッチ等は、必要に応じて適宜選択される。前記ブロワ部３Ｂには、ブロワ９が設けられている。
【００２０】
前記ミスト放出用ノズル５は、ノズル部５Ａと、該ノズル部５の基端５ａに連続する導入部５Ｂとを備えている。前記ノズル部５Ａは、前記ノズル部３Ａ内に同心状に配設されている。該ノズル部５Ａの直径は、例えば、前記ノズル部３Ａの１／３の大きさに形成され、又、その長さＢは、例えば、ノズル部３Ａの長さＡの１／２に形成される。ノズル部５Ａの先端５ａは、前記ノズル部３Ａの先端３ａから離間距離Ｃだけ引っ込んでいる。これは、ノズル部３Ａの遮蔽により先端５ａのミストは散乱することなく、放出前方に束ねるようにできる。前記ノズル部５Ａの直径、長さＢ、離間距離Ｃ等は、必要に応じて適宜選択できる。
【００２１】
前記導入部５Ｂは、水平なノズル部５Ａに対して垂直方向を向いている。この導入部５Ｂは、図示しないミスト発生装置が連結されている。
【００２２】
次に、本実施例の作動について説明する。
火災が発生すると、ミスト放出用ノズル５からミスト１０が放出され、該ミスト１０は束状のミスト塊１０Ｍとなって火源Ｆに向かう。この時、ブロア９が駆動しており、空気（搬送気体）１２がブロア部３Ｂを通ってノズル部３Ａ内に吸引され、フイン７に案内されながら直径Ｓの旋回気流１２Ａとなってノズル部３Ａの先端３ａから放出される。
【００２３】
この旋回気流１２Ａは、ミスト塊１０Ｍの外周１０ｃを包囲するので、該ミスト塊１０Ｍが外部の風、熱気流等により撹乱されるのを防止できるとともに、該ミスト塊１２Ｍが外側、即ち、進行方向に対し直角方向、に拡がるのを規制する。そのため、ノズル部３Ａと局所１４の間Ｌを進行するミスト塊１０Ｍの幅（ミスト塊１０Ｍの外径）ｍは、前記旋回流１２Ａの直径Ｓより小さく、かつ、全長Ｌに亘り、前記ノズル部３近傍におけるミスト塊１０Ｍの幅とほぼ等しい状態を維持する。そのため、ミスト塊１０Ｍが局部１４に到達し、高い貫通力を発揮するので、効果的に消火を行うことが出来る。
【００２４】
この発明の第２実施例を図３により説明するが、図１と同一図面符号は、その名称も機能も同一である。
この実施例と第１実施例との相違は、気体放出用ノズル３に空気を送る代わりに、窒素ガス１６を送ることである。
【００２５】
この実施例では、ノズル部３Ａに、ブロア部３Ｂを連結する代わりに、バルブ１７を介して窒素ガスボンベ１８を連結する。この窒素ガスボンベ１８の設置数は、必要に応じて適宜選択される。この実施例では、ミスト塊１０Ｍを包囲する旋回気流が、空気流１２Ａの替わりに、窒素ガス流１２Ｂとなるので、空気流１２Ａより効果的に消火を行うことが出来る。
【００２６】
この発明の第３実施例を図４により説明する。
この実施例は、消火用ヘッドとして、エアーサーキュレータ２０を用いる。
このヘッドは、吸込み口２１を有する円筒型ダクト２２の排出部に、ファン２４を設け、該ファン２４を渦巻状の風を作りだすグリルカバー２６により覆ったものである。
【００２７】
この実施例では、ファン２４が回転すると、前記ダクト２２内に空気１２が吸い込まれ、グリルカバー２６に案内され旋回流１２Ｃとなって局所１４に向かって進行する。この時、吸込み口２１からミスト１０が吸引され、該ダクト２２から放出されると、該ミスト塊１０Ｂは、前記旋回気流１２Ｃに巻き込まれて空気１２と混合される。そのため、ミスト塊１０Ｂは外側に拡がるのを規制されながら進行するため、局所１４に到達することができるので、効果的に消火を行うことが出来る。
【００２８】
この発明の第４実施例を図５により説明するが、図３と同一図面符号は、その名称も機能も同一である。
この実施例と第２実施例との相違点は、消火薬剤として、ミストの代わりに、不活性ガス、例えば、窒素ガス１６を用いること、気体放出用ノズル３は消火薬剤のみを放出する消火薬剤放出用ノズルとなること、及び該消火薬剤放出用ノズル内のミスト放出用ノズルを省略したことである。
【００２９】
この実施例では、バルブ１７を開き、窒素ガス１６を消火薬剤放出用ノズル（気体放出用ノズル）３に圧送すると、該窒素ガス１６はフイン７に案内されながら旋回気流となってノズル３の先端から放出される。そのため、前記窒素ガス１６は、外側に広がるのを規制されながら前方へ進行するので、局所に到達することができる。なお、使用される消火薬剤は、窒素ガスに限定されるものではなく、その他不活性ガス等でもよい。
【図面の簡単な説明】
【００３０】
【図１】本発明の第１実施例を示す一部縦断面図である。
【図２】図１のII−II線断面拡大図である。
【図３】本発明の第２実施例を示す一部縦断面図である。
【図４】本発明の第３実施例を示す斜視図である。
【図５】本発明の第４実施例を示す一部縦断面図である。
【符号の説明】
【００３１】
１      消火用ヘッド
３      気体放出用ノズル
５      ミスト放出用ノズ
７      フイン
１０    ミスト
１０Ｍ  ミスト塊
１２    空気
１４    局所
Ｆ      火源
【図１】
2007175278.tif 000003
【図２】
2007175278.tif 000004
【図３】
2007175278.tif 000005
【図４】
2007175278.tif 000006
【図５】
2007175278.tif 000007